(57)【要約】【課題】ユーザのニーズに応じて関連する複数の放送の切り替え制御を行なうこと。【解決手段】操作履歴取得部３１は、同一放送局が提供する、品質の異なる放送間におけるユーザの切り替え操作を操作履歴データ２１としてＨＤＤ１２に記憶する。放送選択部３２は、現在受信中の番組をより高品質に受信可能となった場合に操作履歴データ２１を参照し、ユーザによる高品質側への切替実績があれば高品質側への自動切替を実行し、切替実績がない場合には受信中の低品質側の放送を継続して受信する。【選択図】        図１
2007235223.tif 000002
【特許請求の範囲】
【請求項１】
車両に搭載され、放送を受信して出力する車載用放送受信装置であって、
ユーザによる放送受信操作の履歴を記憶する操作履歴記憶手段と、
関連する複数の放送が受信可能である場合に、前記操作履歴記憶手段の記憶内容に基づいて受信する放送を選択する放送選択手段と、
を備えたことを特徴とする車載用放送受信装置。
【請求項２】
前記関連する複数の放送は、同一の放送局が同時に提供する放送であることを特徴とする請求項１に記載の車載用放送受信装置。
【請求項３】
前記関連する複数の放送は、前記同一の放送局が提供するアナログ放送とデジタル放送であることを特徴とする請求項２に記載の車載用放送受信装置。
【請求項４】
前記関連する複数の放送は、前記同一の放送局が提供する異なる伝送方式のデジタル放送であること特徴とする請求項２または３に記載の車載用放送受信装置。
【請求項５】
前記操作履歴記憶手段は前記同一の放送局が提供するアナログ放送からデジタル放送への切替操作を記憶し、前記放送選択手段は前記同一の放送局が提供するアナログ放送とデジタル放送との双方が受信可能であり、かつ前記操作履歴記憶手段がアナログ放送からデジタル放送への切替履歴を記憶している場合にデジタル放送の受信を選択することを特徴とする請求項３に記載の車載用放送受信装置。
【請求項６】
前記操作履歴記憶手段は前記同一の放送局が提供する第１のデジタル放送から第２のデジタル放送への切替操作を記憶し、前記放送選択手段は前記同一の放送局が提供する第１のデジタル放送と第２のデジタル放送との双方が受信可能であり、かつ前記操作履歴記憶手段が第１のデジタル放送から第２のデジタル放送への切替履歴を記憶している場合に前記第２のデジタル放送の受信を選択することを特徴とする請求項４に記載の車載用放送受信装置。
【請求項７】
前記操作履歴記憶手段は前記同一の放送局が提供するデジタル放送からアナログ放送への切替操作を記憶し、前記放送選択手段は前記同一の放送局が提供するアナログ放送とデジタル放送との双方が受信可能であり、かつ前記操作履歴記憶手段がデジタル放送からアナログ放送への切替履歴を記憶している場合にアナログ放送の受信を選択することを特徴とする請求項３に記載の車載用放送受信装置。
【請求項８】
前記操作履歴記憶手段は、ユーザによる放送受信操作が行なわれた際に当該操作時点での自車両の位置情報、時間情報、放送局、放送内容のうち少なくともいずれかを関連付けて記憶し、放送選択手段は前記関連付けられた情報と現時点での自車両の位置情報、時間情報、放送局、放送内容との一致度合いをさらに用いて受信する放送を選択することを特徴とする請求項１〜７のいずれか一つに記載の車載用放送受信装置。
【発明の詳細な説明】
【技術分野】
【０００１】
この発明は、車両に搭載され、放送を受信して出力する車載用放送受信装置に関し、特に関連する複数の放送の切り替え制御を行なう車載用放送受信装置に関する。
【背景技術】
【０００２】
近年、映像番組をデジタル化して放送するデジタルテレビ放送が実用化されている。デジタル放送では、高画質化、多チャンネル化、双方向化が実現できるという利点があるので従来から衛星デジタル放送が行われており、さらに地上波アナログ放送をデジタル放送に移行させるなどその利用が広がっている。
【０００３】
地上波用デジタル放送では、一つの周波数を１３のセグメントに分割し、そのうち４セグメントもしくは１２セグメントを使用した放送が家庭用テレビなどの固定受信装置による受信を想定して行なわれるのに加え、１セグメントのみを使用する所謂ワンセグ放送が携帯電話などの移動受信装置による受信を想定して実施される予定である。
【０００４】
このため、同一の放送局がアナログ放送、固定受信装置用デジタル放送、移動体用デジタル放送など、同時に複数の方法で番組を提供することが考えられる。その場合、受信側としては、いずれの方法で番組を受信するかを選択することが可能となる。
【０００５】
そこで、例えば特許文献１は、地上波デジタル放送を受信可能であるか否かを判断し、否であればアナログ放送受信に切り替える技術を開示している。また、特許文献２は、選曲チャンネルが地上波デジタル放送かアナログ放送かを検出し、検出結果に基づいて受信選択する技術を開示している。
【０００６】
さらに、車両に放送受信装置を搭載した場合、車両の移動によって放送の受信状態が変化するので、番組の受信方法の選択はさらに重要な問題となる。そのため、たとえば特許文献３はナビゲーション装置から取得した現在位置と設定されているデジタル放送受信可能エリアとを比較し、受信可能エリア内の放送局をサーチする技術を開示している。
【０００７】
【特許文献１】特開２００３−２１９３１２号公報
【特許文献２】特開２０００−１８４３０７号公報
【特許文献３】特開２００１−２８５１０１号公報
【発明の開示】
【発明が解決しようとする課題】
【０００８】
ところで、アナログ放送とデジタル放送とを比較すると品質面ではデジタル放送が優れている。また、固定受信装置用デジタル放送と移動体用デジタル放送とを比較すると固定受信装置用デジタル放送が品質面で優れている。
【０００９】
そのため、従来の技術ではアナログ放送とデジタル放送との双方が受信可能であればデジタル放送を選択し、固定受信装置用デジタル放送と移動体用デジタル放送との双方が受信可能であれば固定受信装置用デジタル放送を選択していた。
【００１０】
しかしながら、番組の内容や表示方法などによっては必ずしも高品質な放送の受信が必要であるとは限らない。特に車載用途ではユーザが長時間ディスプレイを注視しているとは限らず、またナビゲーション機能に基づく表示などとディスプレイを共用する場合には、映像を表示できる実質的な表示領域が小さい場合も考えられる。
【００１１】
また、たとえば移動体用デジタル放送で固定受信装置用デジタル放送の放送内容のダイジェストを放送する、など放送内容が異なる場合には、ユーザ自身が移動体用デジタル放送の受信を希望する場合が考えられる。
【００１２】
さらに、基地局からの受信可能な距離についてはアナログ放送がデジタル放送に比して広く、移動体用デジタル放送は固定受信装置用デジタル放送に比して広いので、デジタル放送の受信可能な境界近傍や、固定受信装置用デジタル放送の受信可能な境界近傍で自動的に高品質側に切り替えると、切替が高頻度に繰り返される可能性もある。
【００１３】
すなわち、従来の技術では、ユーザの嗜好や要望が考慮されておらず、不要に高品質な放送を受信する場合があるという問題点があった。
【００１４】
本発明は、上述した従来技術における問題点を解消するためになされたものであり、ユーザのニーズに応じて関連する複数の放送の切り替え制御を行なう車載用放送受信装置を提供することを目的とする。
【課題を解決するための手段】
【００１５】
上述した課題を解決し、目的を達成するため、請求項１の発明に係る車載用放送受信装置は、車両に搭載され、放送を受信して出力する車載用放送受信装置であって、ユーザによる放送受信操作の履歴を記憶する操作履歴記憶手段と、関連する複数の放送が受信可能である場合に、前記操作履歴記憶手段の記憶内容に基づいて受信する放送を選択する放送選択手段と、を備えたことを特徴とする。
【００１６】
この請求項１の発明によれば車載用放送受信装置は、ユーザによる放送受信操作の履歴を記憶し、関連する複数の放送が受信可能である場合に操作履歴記憶手段の記憶内容に基づいて受信する放送を選択する。
【００１７】
また、請求項２の発明に係る車載用放送受信装置は、請求項１に記載の発明において、前記関連する複数の放送は、同一の放送局が同時に提供する放送であることを特徴とする。
【００１８】
この請求項２の発明によれば車載用放送受信装置は、ユーザによる放送受信操作の履歴を記憶し、同一の放送局が同時に提供する複数の放送が受信可能である場合に操作履歴記憶手段の記憶内容に基づいて受信する放送を選択する。
【００１９】
また、請求項３の発明に係る車載用放送受信装置は、請求項２に記載の発明において、前記関連する複数の放送は、前記同一の放送局が提供するアナログ放送とデジタル放送であることを特徴とする。
【００２０】
この請求項３の発明によれば車載用放送受信装置は、ユーザによる放送受信操作の履歴を記憶し、同一の放送局の提供するアナログ放送とデジタル放送とを受信可能である場合に操作履歴記憶手段の記憶内容に基づいて受信する放送を選択する。
【００２１】
また、請求項４の発明に係る車載用放送受信装置は、請求項２または３に記載の発明において、前記関連する複数の放送は、前記同一の放送局が提供する異なる伝送方式のデジタル放送であること特徴とする。
【００２２】
この請求項４の発明によれば車載用放送受信装置は、ユーザによる放送受信操作の履歴を記憶し、同一の放送局が提供する異なる伝送方式のデジタル放送、たとえば４セグメントもしくは１２セグメントを使用するデジタル放送と１セグメントを使用するデジタル放送とを受信可能である場合に操作履歴記憶手段の記憶内容に基づいて受信する放送を選択する。
【００２３】
また、請求項５の発明に係る車載用放送受信装置は、請求項３に記載の発明において、前記操作履歴記憶手段は前記同一の放送局が提供するアナログ放送からデジタル放送への切替操作を記憶し、前記放送選択手段は前記同一の放送局が提供するアナログ放送とデジタル放送との双方が受信可能であり、かつ前記操作履歴記憶手段がアナログ放送からデジタル放送への切替履歴を記憶している場合にデジタル放送の受信を選択することを特徴とする。
【００２４】
この請求項５の発明によれば車載用放送受信装置は、同一の放送局が提供するアナログ放送からデジタル放送へのユーザによる切替操作を記憶し、同一の放送局が提供するアナログ放送とデジタル放送との双方が受信可能であり、かつアナログ放送からデジタル放送への切替履歴を記憶している場合にデジタル放送の受信を選択する。
【００２５】
また、請求項６の発明に係る車載用放送受信装置は、請求項４に記載の発明において、前記操作履歴記憶手段は前記同一の放送局が提供する第１のデジタル放送から第２のデジタル放送への切替操作を記憶し、前記放送選択手段は前記同一の放送局が提供する第１のデジタル放送と第２のデジタル放送との双方が受信可能であり、かつ前記操作履歴記憶手段が第１デジタル放送から第２のデジタル放送への切替履歴を記憶している場合に第２のデジタル放送の受信を選択することを特徴とする。
【００２６】
この請求項６の発明によれば車載用放送受信装置は、同一の放送局が提供する第１のデジタル放送から第２のデジタル放送へのユーザによる切替操作を記憶し、同一の放送局が提供する第１のデジタル放送と第２のデジタル放送との双方が受信可能であり、かつ第１のデジタル放送から第２のデジタル放送への切替履歴を記憶している場合に第２のデジタル放送の受信を選択する。
【００２７】
また、請求項７の発明に係る車載用放送受信装置は、請求項３に記載の発明において、前記操作履歴記憶手段は前記同一の放送局が提供するデジタル放送からアナログ放送への切替操作を記憶し、前記放送選択手段は前記同一の放送局が提供するアナログ放送とデジタル放送との双方が受信可能であり、かつ前記操作履歴記憶手段がデジタル放送からアナログ放送への切替履歴を記憶している場合にアナログ放送の受信を選択することを特徴とする。
【００２８】
この請求項７の発明によれば車載用放送受信装置は、同一の放送局が提供するデジタル放送からアナログ放送へのユーザによる切替操作を記憶し、同一の放送局が提供するアナログ放送とデジタル放送との双方が受信可能であり、かつデジタル放送からアナログ放送への切替履歴を記憶している場合にアナログ放送の受信を選択する。
【００２９】
また、請求項８の発明に係る車載用放送受信装置は、請求項１〜７のいずれか一つに記載の発明において、前記操作履歴記憶手段は、ユーザによる放送受信操作が行なわれた際に当該操作時点での自車両の位置情報、時間情報、放送局、放送内容のうち少なくともいずれかを関連付けて記憶し、放送選択手段は前記関連付けられた情報と現時点での自車両の位置情報、時間情報、放送局、放送内容との一致度合いをさらに用いて受信する放送を選択することを特徴とする。
【００３０】
この請求項８の発明によれば車載用放送受信装置は、ユーザによる放送受信操作が行なわれた際に当該操作時点での自車両の位置情報、時間情報、放送局、放送内容のうち少なくともいずれかを関連付けて記憶し、複数の放送が受信可能である場合に、関連付けられた情報と現時点での自車両の位置情報、時間情報、放送局、放送内容との一致度合いをさらに用いて受信する放送を選択する。
【発明の効果】
【００３１】
請求項１の発明によれば車載用放送受信装置は、ユーザによる放送受信操作の履歴を記憶し、関連する複数の放送が受信可能である場合に操作履歴記憶手段の記憶内容に基づいて受信する放送を選択するので、ユーザのニーズに応じて関連する複数の放送の切り替え制御を行なう車載用放送受信装置を得ることができるという効果を奏する。
【００３２】
また、請求項２の発明によれば車載用放送受信装置は、ユーザによる放送受信操作の履歴を記憶し、同一の放送局が同時に提供する複数の放送が受信可能である場合に操作履歴記憶手段の記憶内容に基づいて受信する放送を選択するので、同一の放送局が同時に提供する複数の放送をユーザニーズに応じて切り替え制御する車載用放送受信装置を得ることができるという効果を奏する。
【００３３】
また、請求項３の発明によれば車載用放送受信装置は、ユーザによる放送受信操作の履歴を記憶し、同一の放送局の提供するアナログ放送とデジタル放送とを受信可能である場合に操作履歴記憶手段の記憶内容に基づいて受信する放送を選択するので、アナログ放送とデジタル放送との切り替え制御をユーザニーズに応じて実行する車載用放送受信装置を得ることかできるという効果を奏する。
【００３４】
また、請求項４の発明によれば車載用放送受信装置は、ユーザによる放送受信操作の履歴を記憶し、同一の放送局が提供する異なる伝送方式のデジタル放送、たとえば４セグメントもしくは１２セグメントを使用するデジタル放送と１セグメントを使用するデジタル放送とを受信可能である場合に操作履歴記憶手段の記憶内容に基づいて受信する放送を選択するので、複数のデジタル放送との切り替え制御をユーザニーズに応じて実行する車載用放送受信装置を得ることができるという効果を奏する。
【００３５】
また、請求項５の発明によれば車載用放送受信装置は、同一の放送局が提供するアナログ放送からデジタル放送へのユーザによる切替操作を記憶し、同一の放送局が提供するアナログ放送とデジタル放送との双方が受信可能であり、かつアナログ放送からデジタル放送への切替履歴を記憶している場合にデジタル放送の受信を選択するので、デジタル放送への切り替え実績がない場合にはアナログ放送の受信を継続し、不要な切替を排除した車載用放送受信装置を得ることができるという効果を奏する。
【００３６】
また、請求項６の発明によれば車載用放送受信装置は、同一の放送局が提供する第１のデジタル放送から第２のデジタル放送へのユーザによる切替操作を記憶し、同一の放送局が提供する第１のデジタル放送と第２のデジタル放送との双方が受信可能であり、かつ第１のデジタル放送から第２のデジタル放送への切替履歴を記憶している場合に第２のデジタル放送の受信を選択するので、第２のデジタル放送への切り替え実績がない場合には第１のデジタル放送の受信を継続し、不要な切替を排除した車載用放送受信装置を得ることができるという効果を奏する。
【００３７】
また、請求項７の発明によれば車載用放送受信装置は、同一の放送局が提供するデジタル放送からアナログ放送へのユーザによる切替操作を記憶し、同一の放送局が提供するアナログ放送とデジタル放送との双方が受信可能であり、かつデジタル放送からアナログ放送への切替履歴を記憶している場合にアナログ放送の受信を選択するので、アナログ放送への切り替え実績がある場合にはデジタル放送への不要な切替を排除することでユーザニーズに沿った放送受信を行なう車載用放送受信装置を得ることができるという効果を奏する。
【００３８】
また、請求項８の発明によれば車載用放送受信装置は、ユーザによる放送受信操作が行なわれた際に当該操作時点での自車両の位置情報、時間情報、放送局、放送内容のうち少なくともいずれかを関連付けて記憶し、複数の放送が受信可能である場合に、関連付けられた情報と現時点での自車両の位置情報、時間情報、放送局、放送内容との一致度合いをさらに用いて受信する放送を選択するので、ユーザニーズを詳細に分析して受信すべき放送を選択する車載用放送受信装置を得ることができるという効果を奏する。
【発明を実施するための最良の形態】
【００３９】
以下に添付図面を参照して、この発明に係る車載用放送受信装置の好適な実施例について詳細に説明する。
【実施例】
【００４０】
図１は、本発明の実施の形態である車載用放送受信装置１の概要構成を示す概要構成図である。同図に示すように、車載用放送受信装置１は、アンテナ１１、ナビゲーション装置２、スピーカ３、ディスプレイ４、タッチパネル５およびスイッチ６に接続する。
【００４１】
ナビゲーション装置２は、ＧＰＳ（Global Positioning System）人工衛星と通信して特定した自車両の位置と地図データとを利用して走行経路の設定および誘導を行なう車載装置である。また、ナビゲーション装置２は、自車両の位置情報と時間情報を車載用放送受信装置１に供給する。
【００４２】
スピーカ３は、ユーザすなわち自車両乗員に対して音声による出力を行なう出力手段であり、ディスプレイ４は表示による出力を行なう出力手段である。また、タッチパネル５およびスイッチ６はユーザからの操作入力を受け付ける入力手段である。これらの出力手段と入力手段は、車載用放送受信装置１やナビゲーション装置２の入出力の他、車載オーディオ装置など各種車載装置で共用することができる。
【００４３】
車載用放送受信装置１は、車両に搭載され、アンテナ１１を用いて放送を受信して出力する装置であり、その内部にHDD（Hard Disk Drive）１２、制御部１３、チューナ１４、復調部１５およびＭＰＥＧデコーダ１６を有する。
【００４４】
チューナ１４は、制御部１３に指定された周波数（チャンネル）の電波を受信し、復調部１５に出力する。復調部１５は、受信した電波を復調する処理を行なう。具体的には、受信チャンネルがデジタル放送である場合には、受信波に対してデジタル復調を行なってＴＳ（Transport Stream）パケットを取り出す処理を行なう。また、受信チャンネルがアナログ放送である場合には、受信した電波に対してアナログ復調を行なって音声信号、画像信号および同期信号を取り出す処理を行なう。
【００４５】
ＭＰＥＧデコーダ１６は、受信チャンネルがデジタル放送である場合に復調部１５から出力されるＴＳパケットを動画データに変換し、スピーカ３およびディスプレイ４から出力する。なお、受信チャンネルがアナログ放送である場合には復調部１５から出力される音声信号、映像信号および同期信号をそのまま使用してスピーカ３およびディスプレイ４から出力する。
【００４６】
制御部１３は、車載用放送受信装置１を全体制御する処理部であり、ナビゲーション装置２からの位置情報および時間情報の取得、入力手段からの入力内容に基づくチューナ１４、復調部１５、ＭＰＥＧデコーダ１６の動作制御を行なう。
【００４７】
また、制御部１３は、その内部に操作履歴取得部３１および放送選択部３２を有する。操作履歴取得部３１は、ユーザによる入力内容を位置情報と時間情報に関連付けて操作履歴データ２１としてＨＤＤ１２に記憶させる処理を行なう。また、放送選択部３２は、位置情報と時間情報、さらにＨＤＤ１２が記憶する操作履歴データ２１および放送エリアデータ２２を用いて受信する放送を選択する処理を行なう。
【００４８】
放送エリアデータ２２は、アナログ放送、固定受信装置用デジタル放送、移動受信装置用デジタル放送について、それぞれ受信可能な場所の情報を示すデータである。なお、ＨＤＤ１２は、操作履歴データ２１や放送エリアデータ２２の他、音楽データや地図データなど各種データを記憶することができる。また、ＨＤＤ１２は、ナビゲーション装置２車載オーディオ装置など各種車載装置で共用してもよい。さらに、ＨＤＤ１２は必ずしも車載用放送受信装置１内に設ける必要は無く、車載用放送受信装置１に外部接続しても良い。
【００４９】
つづいて、放送選択部３２による放送の選択処理についてさらに説明する。まず車載用放送受信装置１が受信可能な放送の具体例について図２を参照して説明する。同図に示す例では、チューナ１４によって選択可能な電波の周波数はＣｈ１〜Ｃｈ８の８つである。
【００５０】
アナログ放送では、一つの放送が一つの周波数（チャンネル）を全て使用する。例えば放送局Ａのアナログ放送は周波数Ｃｈ２を使用し、放送局Ｂのアナログ放送は周波数Ｃｈ８を使用している。
【００５１】
一方、デジタル放送では、一つの周波数を１３のセグメントに分割している。そして、デジタルハイビジョン放送ではそのうち１２セグメントを使用する。例えば、放送局Ａのデジタルハイビジョン放送は周波数Ｃｈ５のセグメント１からセグメント１２を使用して行なわれている。
【００５２】
一方、標準画質のデジタル放送は１３のセグメントのうち４セグメントを使用する。例えば、放送局Ｂのデジタル放送は周波数Ｃｈ７のセグメント１からセグメント４を使用し、放送局Ｃのデジタル放送は周波数Ｃｈ７のセグメント５からセグメント８を使用し、放送局Ｄのデジタル放送は周波数Ｃｈ７のセグメント９からセグメント１２を使用して行なわれている。
【００５３】
さらに、１セグメントのみを使用するデジタル放送、所謂ワンセグ放送も存在する。１２セグメントもしくは４セグメントを使用するデジタル放送は、家庭用テレビなど特定の場所に固定して使用する固定受信装置による受信が想定されているのに対し、ワンセグ放送は携帯電話などの移動受信装置による受信を想定したものである。図２においては、放送局Ａが周波数Ｃｈ５のセグメント１３を使用して移動体用デジタル放送を行なっている。
【００５４】
放送の内容は、各放送局で異なる。また、同一の放送局が提供するデジタル放送とアナログ放送は、基本的に同一の内容である。例えば、放送局Ａが提供するアナログ放送（周波数Ｃｈ２を使用）の内容とデジタルハイビジョン放送（周波数Ｃｈ５のセグメント１〜セグメント１２を使用）の内容とは同一である。
【００５５】
なお、移動受信装置用デジタル放送（例えば放送局Ａによる周波数Ｃｈ５のセグメント１３）の放送内容は現在固定受信装置用デジタル放送（例えば放送局Ａによる周波数Ｃｈ５のセグメント１〜セグメント１２）と同一の内容を放送するサイマル放送が予定されているが、今後は専用の内容（固定受信装置用デジタル放送の放送内容のダイジェストなど）が放送される可能性がある。
【００５６】
つぎに、アナログ放送、固定受信装置用デジタル放送、移動受信用装置用デジタル放送について受信可能なエリアの比較を図３に示す。同図に示すように、基地局から最も遠くまで受信可能なエリアが広がるのはアナログ放送であり、次に受信可能なエリアが広いのは移動受信装置用デジタル放送、受信可能なエリアが最も狭いのは固定受信装置用デジタル放送となる。
【００５７】
品質面については、全ての放送を受信可能なエリア（図３では固定受信装置用デジタル放送エリア内）では、固定受信装置用デジタル放送、すなわち４セグメントもしくは１２セグメントを使用したデジタル放送の品質が最も高い。
【００５８】
移動受信装置用デジタル放送、すなわちワンセグ放送は、使用するセグメントが少なく、データ量が小さい分、品質が低くなる。
【００５９】
アナログ放送はデジタル放送に比して品質が低いが、受信状態が不十分である場合にデジタル放送がブロックノイズやフリーズによって視聴不可能となるのに対し、アナログ放送は劣化した画像や音声のみの視聴が可能であり、受信状態の悪化に比較的強いという特徴がある。
【００６０】
従来は、同一内容の放送であればより高品質な放送をユーザに提供すべき、という思想から、アナログ放送のみ受信可能なエリアからアナログ放送とデジタル放送の双方が受信可能なエリアに移動した場合にはデジタル放送の受信を選択し、移動受信装置用デジタル放送のみ受信可能な襟絵から移動受信装置用デジタル放送と固定受信装置用デジタル放送の双方が受信可能なエリアに入った場合には固定受信装置用デジタル放送の受信を選択することが考えられてきた。
【００６１】
ところが、番組の内容や表示方法などによっては必ずしも高品質な放送の受信が必要であるとは限らない。特に車載用途ではユーザが長時間ディスプレイを注視しているとは限らず、音声のみの出力でもよい場合が考えられる。
【００６２】
また、ディスプレイ４の表示画面を分割し、ナビゲーション装置２による経路案内出力と車載用放送受信装置１によるテレビ画面出力とを同時に出力する場合には、テレビ画面出力に使用する表示領域が小さくなるのでワンセグ放送の映像品質で十分である状況が発生する。
【００６３】
さらに、たとえば移動受信装置用デジタル放送で固定受信装置用デジタル放送の放送内容のダイジェストを放送する、など放送内容が異なる場合には、ユーザ自身が移動受信装置用デジタル放送の受信を希望する場合が考えられる。
【００６４】
また、自車両がデジタル放送の受信可能な境界近傍や、固定受信装置用デジタル放送の受信可能な境界近傍を移動中である場合に自動的に高品質側に切り替えるとすると、切替が高頻度に繰り返され、低品質側の視聴を継続した場合よりもさらに実質的な品質が低下する可能性もある。
【００６５】
そこで、本発明では同一放送局が提供するアナログ放送とデジタル放送とが共に受信可能となった場合、また同一の放送局が提供する固定受信装置用デジタル放送と移動受信装置用デジタル放送とが共に受信可能となった場合に放送選択部３２によってユーザの操作履歴データ２１を参照し、ユーザが高品質側に切り替える操作をおこなった実績がある場合には高品質側への切り替えを自動実行し、高品質側に切り替える操作をおこなった実績がない場合には低品質側の放送の受信を維持する。
【００６６】
なお、ユーザが高品質側への切り替えを行なうか否かは、時間や放送局、放送内容の種類（コンテンツジャンル）にも影響を受ける。例えば、ユーザが特定の番組（曜日や時刻、放送局などによって特定できる）を高品質で視聴する場合や、ドラマや映画については高品質で視聴するが、ニュース番組やスポーツ番組は高品質側への切替を行なわない場合が考えられる。
【００６７】
そこで操作履歴データ２１には例えば図４に示すように、ユーザが操作を行なった時点での位置情報、日付情報、曜日情報、時刻情報と、操作内容、受信していた放送局、コンテンツジャンルなどを記憶しておく。
【００６８】
そして、放送選択部３２は、同一放送局で切り替え可能な放送が存在する場合（同一放送局が提供するアナログ放送とデジタル放送とが共に受信可能となった場合、もしくは同一の放送局が提供する固定受信装置用デジタル放送と移動受信装置用デジタル放送とが共に受信可能となった場合）に、ナビゲーション装置２取得した現在位置と現在時刻、さらに現在受信中の放送局とコンテンツジャンルと操作履歴データ２１を比較し、その一致度合いに基づいて受信する放送を高品質側に切り替えるか否かを判定する。
【００６９】
なお、一致度合いの算出は、操作履歴データ２１の各項目に任意の重み付けを行なうと共に操作内容の実績を各項目について蓄積し、蓄積結果を利用して算出することか好ましい。例えば、不特定の放送局においてコンテンツジャンルがドラマの場合にのみ高頻度で高品質側への切り替えが行なわれているならば、受信中の放送内容がドラマの場合には履歴との一致度が高いとして高品質側に切り替えればよい。また、特定の曜日、特定の時間帯に特定の放送局を高品質側で視聴しているならば（たとえば毎週水曜の２０時から２１時に放送局Ａをデジタルハイビジョンで視聴している、など）、同一の曜日、時間帯、放送局を受信中の場合に履歴との一致度が高いとして高品質側に切り替えればよい（水曜の２０時から２１時に放送局Ａを受信中であればデジタルハイビジョンに自動的に切り替える、など）。
【００７０】
つづいて、車載用放送受信装置１の処理動作について図５のフローチャートを参照して説明する。なお、同図に示すフローチャートは、車載用放送受信装置１が放送を受信中である場合に繰り返し実行される処理である。
【００７１】
まず、放送選択部３２は、ナビゲーション装置２から取得した位置情報と放送エリアデータ２２とを用いて、現在受信中の放送に対して切り替え可能な放送、すなわち同一放送局が提供する高品質側の放送が存在するか否かを判定し（ステップＳ１０１）、切り替え可能な放送がなければ（ステップＳ１０１，Ｎｏ）そのまま処理を終了する。
【００７２】
一方、切り替え可能な放送が存在するならば（ステップＳ１０１，Ｙｅｓ）、放送選択部３２は、位置情報と時刻情報を用いて操作履歴データ２１を検索する（ステップＳ１０２）。そして、操作履歴に高品質側への切り替え実績が示されているならば（ステップＳ１０３，Ｙｅｓ）、高品質側への自動切換えを実行し（ステップＳ１０６）、自動切換えを実行したことをユーザに通知して（ステップＳ１０７）、処理を終了する。
【００７３】
一方、操作履歴に高品質側への切り替え実績がない場合（ステップＳ１０３，Ｎｏ）、放送選択部３２は受信中の放送を継続して受信し（ステップＳ１０４）、より高品質な放送に切り替え可能であることを通知して（ステップＳ１０５）、処理を終了する。
【００７４】
なお、ステップＳ１０３の切り替え実績の判定において、高品質側への切り替えが１回のみ行なわれているような場合、誤操作やユーザが試しに切り替えてみただけの可能性がある。そのため、たとえば２回以上連続して切替が行なわれた、切り替え操作から所定時間以上の視聴が行なわれた、などの条件を付した判定や切り替え操作頻度などを用いた判定を行なうことが望ましい。
【００７５】
上述してきたように、本実施例にかかる車載用放送受信装置１は、同一放送局が提供する、品質の異なる放送間におけるユーザの切り替え操作を操作履歴データ２１としてＨＤＤ１２に記憶する。そして、現在受信中の番組をより高品質に受信可能となった場合に操作履歴データ２１を参照し、ユーザによる高品質側への切替実績があれば高品質側への自動切替を実行し、切替実績がない場合には受信中の低品質側の放送を継続して受信する。そのため、高品質側への不要な切替を排し、ユーザのニーズに応じて関連する複数の放送の切り替え制御を行なうことができる。
【００７６】
なお、本実施例においてはテレビ放送の受信を例に説明を行なったが、本発明の利用はこれに限定されるものではなく、例えばラジオ放送など他の放送についても同様に実施することが可能である。
【００７７】
また、本実施例では、ユーザの指示がなければ低品質側の受信を維持する構成を例に説明を行なったが、ユーザの指示がなければ自動的に高品質側に切り替える構成によって本発明を実施することもできる。この場合、ユーザによる低品質側（デジタル→アナログ，固定用デジタル→移動体用デジタル）への切替操作を記憶し、この履歴がある場合に低品質側を選択し、履歴がない場合には自動的に高品質側に切り替える構成とすればよい。
【産業上の利用可能性】
【００７８】
以上のように、本発明に係る車載用放送受信装置は、車載用の放送受信装置における放送選択に有用であり、特に関連する複数の放送の切り替え制御に適している。
【図面の簡単な説明】
【００７９】
【図１】本発明の実施例にかかる車載用放送受信装置１の概要構成を示す概要構成図である。
【図２】図１に示した車載用放送受信装置が受信可能な放送の具体例について説明する説明図である。
【図３】各種放送の受信可能エリアについて説明する説明図である。
【図４】図１に示した操作履歴データの具体例について説明する説明図である。
【図５】図１に示した車載用放送受信装置の処理動作について説明するフローチャートである。
【符号の説明】
【００８０】
１    車載用放送受信装置
２    ナビゲーション装置
３    スピーカ
４    ディスプレイ
５    タッチパネル
６    スイッチ
１１    アンテナ
１２    ＨＤＤ
１３    制御部
１４    チューナ
１５    復調部
１６    ＭＰＥＧデコーダ
２１    操作履歴データ
２２    放送エリアデータ
３１    操作履歴取得部
３２    放送選択部
【図１】
2007235223.tif 000003
【図２】
2007235223.tif 000004
【図３】
2007235223.tif 000005
【図４】
2007235223.tif 000006
【図５】
2007235223.tif 000007